(57)【要約】【課題】  画像に関する所定の処理を実行する画像処理装置について、形態が異なる複数種類の課金がいずれも可能となるようにする。【解決手段】  画像に関する所定の処理を実行する画像処理ユニット部Ａを備えている。また、この画像処理ユニット部Ａ置により提供されるサービスに対して課金するそれぞれ課金の形態が異なる複数種類の課金装置を備えている。この例では、コインラック１０１、Felicaリーダ１０２、Debitカードリーダ１０３を備えている。情報処理ユニット部Ｂは、画像処理ユニット部Ａでのサービスの提供に応じて、この複数種類の課金装置のうちの１つ又は複数により課金を実行する。【選択図】    図２
2006072451.tif 000002
【特許請求の範囲】
【請求項１】
画像に関する所定の処理を実行する画像処理装置と、
この画像処理装置により提供されるサービスに対して課金するそれぞれ課金の形態が異なる複数種類の課金装置と、
前記サービスの提供に応じて前記複数種類の課金装置のうちの１つ又は複数により前記課金を実行する手段と、
を備えている画像処理システム。
【請求項２】
前記課金を実行する手段は、
前記サービスの提供に対する課金の金額を計算する手段と、
前記複数種類の課金装置の中から課金を行なうものの優先順位の選択を受け付ける手段と、
この優先順位の選択を受け付けたときは前記計算金額の総額に達するまで前記優先順位に従って前記各課金装置から順次課金を実行する手段と、
をさらに備えている請求項１に記載の画像処理システム。
【請求項３】
前記各課金装置で課金可能な残金を算出して当該各課金装置ごとに当該残金を報知する手段を、さらに備えている請求項２に記載の画像処理システム。
【請求項４】
前記課金を実行する手段は、
前記サービスの提供に対する課金の金額を計算する手段と、
前記複数種類の課金装置の中から課金を行なう優先順位を予め設定している手段と、
前記計算金額の総額に達するまで前記優先順位に従って前記各課金装置から順次課金を実行する手段と、
をさらに備えている請求項１に記載の画像処理システム。
【発明の詳細な説明】
【技術分野】
【０００１】
本発明は、画像処理装置と、この画像処理装置により提供されるサービスに対して課金するのに際して、課金の形態が異なる複数種類の課金装置とを備えている画像処理システムに関する。
【背景技術】
【０００２】
既存のコンビニエンスストアでは、コピーサービスとしてデジタルフルカラーの複合機によるカラーコピーのサービスなどを提供している。最近の傾向として、ネットワーク対応の複合機をコンビニエンスストアのネットワークシステムに接続して、マルチメディア・コンテンツの出力サービスなどを提供する場合も多い。このような、環境の変化に対応したシステムの提案は、例えば、特許文献１に開示されている。
【０００３】
このような複合機を利用したコピー、ファックスその他のサービス利用には、そのサービス利用に対する課金について、現金投入型の課金装置（コインラック）を用い、あるいは、サービスの利用分をレジにて清算するといった方法が用いられていた。
【０００４】
【特許文献１】特開２００２−１８９９４５公報
【発明の開示】
【発明が解決しようとする課題】
【０００５】
しかしながら、近年、電子マネーや鉄道会社のプリペイドカードとして用いられている、ソニーが開発した非接触ＩＣカード技術方式であるFeliCaや、J-debit等にみられるカード清算等の料金の支払い体系が一般化しつつある。
【０００６】
そこで、従来のコインラックやレジでの清算の他に、カード清算等の料金の支払いも選択できるようにすれば、ユーザの便宜を図ることができる。
【０００７】
本発明の目的は、画像に関する所定の処理を実行する画像処理装置について、形態が異なる複数種類の課金がいずれも可能となるようにすることである。
【課題を解決するための手段】
【０００８】
本発明は、画像に関する所定の処理を実行する画像処理装置と、この画像処理装置により提供されるサービスに対して課金するそれぞれ課金の形態が異なる複数種類の課金装置と、前記サービスの提供に応じて前記複数種類の課金装置のうちの１つ又は複数により前記課金を実行する手段と、を備えている画像処理システムである。
【発明の効果】
【０００９】
本発明によれば、画像処理装置により提供されるサービスに対して、課金の形態が異なる複数種類の課金装置の中のいずれかにより課金することができるので、ユーザの便宜を図ることができる。
【発明を実施するための最良の形態】
【００１０】
本発明を実施するための最良の一形態について説明する。
【００１１】
図１は、本実施の形態である複合機の外観斜視図であり、図２は、複合機の内部構造を示す構成図である。この複合機１は、本発明の画像処理システムを実施するものである。
【００１２】
複合機１のストラクチャとしては、図２に示すように、画像処理ユニット部Ａと情報処理ユニット部Ｂとに大別されており、印刷装置７及び画像読取装置８は画像処理ユニット部Ａに属し、操作パネルＰ及び外部メディア入出力装置９は情報処理ユニット部Ｂに属している。画像処理ユニット部Ａは、画像に関する所定の処理を実行する画像処理装置となるもので、情報処理ユニット部Ｂは、情報処理装置となるものである。
【００１３】
まず、画像処理ユニット部Ａについて説明する。画像処理ユニット部Ａは、画像に関する所定の処理を実行する画像処理装置を実現するものである。この例は、所定の処理として、画像の形成、ファクシミリの送受信などを行なう。印刷装置７及び画像読取装置８を備える画像処理ユニット部Ａは、画像処理ユニット部Ａにおける画像処理全般の制御を行う画像処理制御ユニット１０を備えており、この画像処理制御ユニット１０には、印刷装置７を制御する印刷制御ユニット１１と、画像読取装置８を制御する画像読取制御ユニット１２とが接続されている。
【００１４】
印刷制御ユニット１１は、画像処理制御ユニット１０の制御に従って印刷装置７に対して画像データを含む印刷指示を出力し、印刷装置７に転写紙などの媒体に画像を形成して出力させる。印刷装置７はフルカラー印刷可能とされており、その印刷方式は、電子写真方式のほか、インクジェット方式、昇華型熱転写方式、銀塩写真方式、直接感熱記録方式、溶融型熱転写方式など、さまざまな方式を用いることができる。
【００１５】
画像読取制御ユニット１２は、画像処理制御ユニット１０の制御により画像読取装置８を駆動し、原稿の表面に対するランプ照射の反射光をミラー及びレンズにより受光素子（例えば、ＣＣＤ（Charge Coupled Device））に集光して読み取り、Ａ／Ｄ変換してＲＧＢ各８bitのデジタル画像データを生成する。
【００１６】
このような画像処理制御ユニット１０は、メインプロセッサであるＣＰＵ（Central Processing Unit）１３と、画像読取装置８から読み込んだ画像データを印刷装置７による作像に供すべく一旦格納しておくＳＤＲＡＭ（Synchronous Dynamic Random Access Memory）１４と、制御プログラム等を記憶したＲＯＭ（Read Only Memory）１５と、システムログ／システム設定／ログ情報等を記録しておく電源ＯＦＦ時にもデータの保持が可能なＮＶＲＡＭ１６と、をバス接続したマイクロコンピュータ構成とされている。
【００１７】
また、画像処理制御ユニット１０には、多量の画像データの蓄積やジョブ履歴等の記憶装置となるＨＤＤ（Hard Disk Drive）１７、装置内部に設けられた集線装置であるＨＵＢ１９を介して画像処理ユニット部ＡをＬＡＮ２に接続するためのＬＡＮ制御部１８、ＦＡＸ制御を行うＦＡＸ制御ユニット２０が接続されている。このＦＡＸ制御ユニット２０は、公衆電話網２１に通じる構内交換器（ＰＢＸ）２２に接続されており、複合機１は、遠隔のファクシミリと交信することができる。
【００１８】
加えて、画像処理制御ユニット１０には、表示制御ユニット２３及び操作入力制御ユニット２４が接続されている。表示制御ユニット２３は、画像処理制御ユニット１０のコントロールによって制御パネルＩ／Ｆ２５に接続された通信ケーブル２６を介して情報処理ユニット部Ｂに対して画像表示制御信号を出力し、情報処理ユニット部Ｂの操作パネルＰに対して画像表示の制御を行う。また、操作入力制御ユニット２４は、情報処理ユニット部Ｂの操作パネルＰからのオペレータによる機能設定や入力操作に応じた入力制御信号を、画像処理制御ユニット１０のコントロールによって制御パネルＩ／Ｆ２５に接続された通信ケーブル２６を介して入力する。すなわち、画像処理ユニット部Ａは、情報処理ユニット部Ｂの操作パネルＰを通信ケーブル２６を介して直接モニタすることができる構成になっている。
【００１９】
したがって、画像処理ユニット部Ａは、従来の画像処理装置が備える画像処理ユニットに対して通信ケーブル２６を接続し、情報処理ユニット部Ｂの操作パネルＰを利用するようにしたものである。すなわち、画像処理ユニット部Ａの表示制御ユニット２３及び操作入力制御ユニット２４は、操作パネルＰに接続されているものとして動作している。
【００２０】
このような構成により、画像処理ユニット部Ａは、外部（サーバコンピュータ３、クライアントコンピュータ４、ファクシミリ等）からの画像情報である印刷データ及びプリント指示するコマンドを解析し、印刷データを出力画像データとして印刷できる状態にビットマップ展開し、印刷モードをコマンドから解析し動作を決定している。その印刷データ及びコマンドをＬＡＮ制御部１８あるいはＦＡＸ制御ユニット２０を通じて受信し動作する。
【００２１】
また、画像処理ユニット部Ａは、ＳＤＲＡＭ１４やＨＤＤ１７に記憶されている印刷データ、原稿読取りデータ、これらを出力用に処理した出力画像データ、および、それらを圧縮した圧縮データを外部（サーバコンピュータ３、クライアントコンピュータ４、ファクシミリ等）に転送することができる。
【００２２】
さらに、画像処理ユニット部Ａは、画像読取装置８の読取り画像データを画像処理制御ユニット１０に転送し、光学系及びデジタル信号への量子化に伴う信号劣化を補正し、該画像データをＳＤＲＡＭ１４に書込む。このようにしてＳＤＲＡＭ１４に格納された画像データは、印刷制御ユニット１１で出力画像データに変換されて、印刷装置７に出力される。
【００２３】
次に、操作パネルＰを備える情報処理ユニット部Ｂについて説明する。情報処理ユニット部Ｂは、一般にパーソナルコンピュータといわれるような情報処理装置に用いられる汎用のＯＳ（Operating System）によって制御されるマイクロコンピュータ構成とされている。情報処理ユニット部Ｂは、メインプロセッサであるＣＰＵ３１を有しており、このＣＰＵ３１には、ＣＰＵ３１の作業用領域となるＲＡＭや起動プログラムなどを記憶した読出し専用メモリであるＲＯＭで構成されるメモリユニット３２と、ＯＳ（Operating System）やアプリケーションプログラムを記憶するＨＤＤ等の記憶装置３４に対するデータの入出力を制御する記憶装置制御ユニット３５とが、バス接続されている。
【００２４】
また、ＣＰＵ３１には、情報処理ユニット部ＢをＨＵＢ１９を介してＬＡＮ２に接続するためのＬＡＮ制御部３３が接続されている。このＬＡＮ制御部３３に割り当てられるネットワークアドレスであるＩＰアドレスは、前述した画像処理ユニット部ＡのＬＡＮ制御部１８に割り当てられるＩＰアドレスとは異なるものである。すなわち、本実施の形態の複合機１には、２つのＩＰアドレスが割り当てられていることになる。つまり、画像処理ユニット部Ａと情報処理ユニット部ＢとはＬＡＮ２に接続されていることになり、画像処理ユニット部Ａと情報処理ユニット部Ｂとの間においてはデータ交換が可能な構成になっている。
【００２５】
なお、複合機１はＨＵＢ１９を介してＬＡＮ２に接続されていることから、見かけ上は、１つのＩＰアドレスのみが割り当てられているように見える。したがって、美観を損ねることはなく、結線等の取り扱いを容易にすることが可能になっている。
【００２６】
さらに、ＣＰＵ３１には、操作パネルＰを制御する表示制御ユニット３６及び操作入力制御ユニット３７が接続されている。操作パネルＰは、例えばＬＣＤ（Liquid Crystal Display）である表示装置４０と、操作入力装置４１とで構成されている。表示制御ユニット３６は、画像表示制御信号を制御パネルＩ／Ｆ３８を介して表示装置４０に出力し、画像表示制御信号に応じた所定事項を表示装置４０に表示させる。一方、操作入力制御ユニット３７は、操作入力装置４１におけるオペレータによる機能設定や入力操作に応じた入力制御信号を、制御パネルＩ／Ｆ３８を介して受信する。
【００２７】
加えて、ＣＰＵ３１には、画像処理ユニット部Ａの制御パネルＩ／Ｆ２５と通信ケーブル２６を介して接続されている制御パネル通信ユニット３９が接続されている。制御パネル通信ユニット３９は、画像処理ユニット部Ａから出力された画像表示制御信号を受信し、また、操作パネルＰからのオペレータによる機能設定や入力操作に応じた入力制御信号を画像処理ユニット部Ａに転送する。なお、詳細は後述するが、制御パネル通信ユニット３９で受信した画像処理ユニット部Ａからの画像表示制御信号は操作パネルＰの表示装置４０用にデータ変換処理されてから表示制御ユニット３６に出力され、また、操作パネルＰからのオペレータによる機能設定や入力操作に応じた入力制御信号は画像処理ユニット部Ａでの仕様に応じた形式にデータ変換処理されてから制御パネル通信ユニット３９に入力される。
【００２８】
上述したように記憶装置３４には、ＣＰＵ３１が実行するＯＳ（Operating System）やアプリケーションプログラムが格納されている。この意味で、記憶装置３４は、アプリケーションプログラムを記憶する記憶媒体として機能する。この複合機１では、ユーザが電源を投入するとＣＰＵ３１がメモリユニット３２内の起動プログラムを起動させ、記憶装置３４よりＯＳをメモリユニット３２内のＲＡＭに読み込み、このＯＳを起動させる。このようなＯＳは、ユーザの操作に応じてプログラムを起動したり、情報を読み込んだり、保存を行ったりする。ＯＳのうち代表的なものとしては、Ｗｉｎｄｏｗｓ（登録商標）等が知られている。これらのＯＳ上で走る動作プログラムをアプリケーションプログラムと呼んでいる。情報処理ユニット部ＢのＯＳは、情報処理装置（サーバコンピュータ３やクライアントコンピュータ４等）と同様のＯＳ、すなわち汎用のＯＳ（例えば、Ｗｉｎｄｏｗｓ（登録商標）等）とされている。
【００２９】
なお、前述したように、本実施の形態の複合機１には、ＯＳ、デバイスドライバや各種アプリケーションプログラム等の各種のプログラムコード（制御プログラム）や画像データ等を記憶した記憶媒体Ｍ、すなわち、フレキシブルディスク、ハードディスク、光ディスク（ＣＤ−ＲＯＭ，ＣＤ−Ｒ，ＣＤ−ＲＷ，ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷなど）、光磁気ディスク（ＭＯ）、半導体メディアなどの記憶媒体Ｍに記憶されているプログラムコードや画像データ等を読み取る、または記憶媒体Ｍに対してプログラムコードや画像データ等を書き込む装置であるフレキシブルディスクドライブ装置、光ディスクドライブ装置、ＭＯドライブ装置、メディアドライブ装置等の外部メディア入出力装置９が搭載されている。このような外部メディア入出力装置９は、ＣＰＵ３１にバス接続されている入出力デバイス制御ユニット４２により制御される。
【００３０】
したがって、記憶装置３４に記憶されているアプリケーションプログラムは、この記憶媒体Ｍに記録されたアプリケーションプログラムがインストールされたものであっても良い。このため、記憶媒体Ｍも、アプリケーションプログラムを記憶する記憶媒体となり得る。さらには、アプリケーションプログラムは、例えばインターネット網６及びＬＡＮ２を介して外部から取り込まれ、記憶装置３４にインストールされても良い。
【００３１】
入出力デバイス制御ユニット４２には、ＵＳＢ，ＩＥＥＥ１３９４，ＳＣＳＩ等の各種インタフェース４３も接続されており、各種インタフェース４３を介して様々な機器（デジタルカメラ等）が接続可能である。
【００３２】
本実施の形態では、各種インタフェース４３を介して、情報処理ユニット部Ｂに、課金の形態が異なる複数種類の課金装置、この例では、周知の構成のコインラック１０１、FeliCaリーダ１０２、Debitカードリーダ１０３が接続されている。これらの課金装置は、現金で課金するのか、電子マネーから引き落として課金するのか、銀行口座から引き落として課金するのか、その課金の形態が異なる。なお、「FeliCa」は、ソニーが開発した非接触ＩＣカード技術方式である。
【００３３】
本実施の形態では、記憶媒体Ｍから所定のアプリケーションプログラムを読み取り、このアプリケーションプログラムを記憶装置３４にインストールする。以下では、このアプリケーションプログラムに基づいて、情報処理ユニット部Ｂが実行する処理について説明する。
【００３４】
図３は、この処理について説明するフローチャートである。まず、画像処理ユニット部Ａでいずれかのサービスを利用する際には、ＣＰＵ３１は、アプリケーションプログラムに基づいて操作パネルＰに図４に示すメインメニュー画面１１１を表示する（ステップＳ１）。ここでは、画像処理ユニット部Ａのサービス利用に対する課金の種類をボタン１１２〜１１４を選択することで選ぶことができる（ステップＳ２）。すなわち、この例では、コインラック１０１を用いて現金で支払うか、FeliCaリーダ１０２を用いて電子マネーなどで支払うか、Debitカードリーダ１０３を用いてDebitカードで支払うかを選択する。この選択をユーザが行なったときは（ステップＳ２のＹ）、次の処理を行う。すなわち、コインラック１０１を用いて現金で支払うことを選択すると（ステップＳ３のＹ）、コインラック６０の制御用のプログラムであるコインラックモジュールプログラムを起動し（ステップＳ４）、FeliCaリーダ１０２を用いて電子マネーなどで支払うことを選択すると（ステップＳ５のＹ）、FeliCaリーダ１０２の制御用のプログラムであるFeliCaリーダモジュールプログラムを起動し（ステップＳ６）、Debitカードリーダ１０３を用いてDebitカードで支払うことを選択すると（ステップＳ６のＮ）、Debitカードリーダ１０３の制御用のプログラムであるDebitカードリーダモジュールプログラムを起動する（ステップＳ７）。
【００３５】
そして、画像処理ユニット部Ａでユーザが所望のサービスと利用すると（ステップＳ８のＹ）、ＣＰＵ３１は、画像処理ユニット部Ａから利用されたサービスの内容の情報（利用したのはコピーかＦＡＸか、コピーなら印刷枚数、用紙サイズ、モノクロかカラーか、など）を取得し（ステップＳ９）、所定のテーブルをルックアップするなどして、利用されたサービスの内容に応じた課金金額を計算する（ステップＳ１０）。
【００３６】
そして、前述のようにして選択されたコインラック１０１、FeliCaリーダ１０２、又はDebitカードリーダ１０３を用いて、起動されたモジュールプログラムにより、課金を実行する（ステップＳ１１）。以下では、FeliCaリーダ１０２、Debitカードリーダ１０３での具体的な課金処理（ステップＳ１１）について説明する。
【００３７】
最初にFeliCaリーダ１０２での処理について説明する。図５は、FeliCaリーダ１０２での処理について説明するフローチャートである。まず、FeliCaリーダ１０２がFeliCaカードなどを読み取って電子マネーなどの残高を検出し（ステップＳ２１）、ステップＳ１０で計算された課金金額に対して残高が十分であるか否かを判断し（ステップＳ２２）、十分であれば（ステップＳ２２のＹ）、課金を実行する。すなわち、FeliCaカードに、その残高から今回の課金金額を減算した金額を記録し（ステップＳ２３）、まだ、残金が残っているときは（ステップＳ２４のＮ）、ステップＳ２２に戻り、残金が残っていないときは（ステップＳ２４のＹ）、一連の処理を終了する。
【００３８】
次に、Debitカードリーダ１０３での処理について説明する。図６は、Debitカードリーダ１０３での処理について説明するフローチャートである。まず、ＬＡＮ２を介して、Debitカードのセンターに問い合わせる（ステップＳ３１）。そして、ユーザが操作パネルＰでDebitカードの暗証番号を入力し（ステップＳ３２のＹ）、この暗証番号がセンターにおいて正しいと認証されると（ステップＳ３３のＹ）、ＬＡＮ２を介して課金の指示がセンターに送信される（ステップＳ３４）。この指示により、ユーザの銀行口座から必要な金額が引き落とされることになる。
【００３９】
別の実施の形態について説明する。
【００４０】
この実施の形態は、前述の図１、図２を参照して説明した構成については共通である。前述の実施の形態との相違点は、記憶媒体Ｍからインストールしたアプリケーションプログラムにあり、このアプリケーションプログラムに基づいてＣＰＵ３１が実行する処理が前述と異なる。以下では、この処理の内容について説明する。
【００４１】
図７は、まず、ユーザが画像処理ユニット部Ａで何らかのサービスを利用すると（ステップＳ５１のＹ）、各課金装置、すなわち、コインラック１０１、FeliCaリーダ１０２、Debitカードリーダ１０３によりそれぞれ支払い可能な残金を検出し（ステップＳ５２）、これを、図８に示す残金表示画面１２１に表示する（ステップＳ５３）。図８の例では、コインラック１０１に１０円が投入されていて、FeliCaリーダ１０２により電子マネーなどの残金が５００円あることが表示されている。これにより、後述のステップＳ５５の選択を行なうに先立って、各課金装置で支払い可能な残金をユーザに報知することができる。
また、ユーザが画像処理ユニット部Ａにより提供されるサービスを４００円分利用したことが表示されている。なお、このサービス利用金額の算出は、前述の実施の形態の場合と同様に、アプリケーションプログラムに基づいて行なう。
【００４２】
次に、図９に示す支払い順序選択画面１２２が表示され（ステップＳ５４）、ボタン１２３〜１２５を選択することで（ステップＳ５５のＹ）、その選択順に複数の課金装置の中から支払いを行なう課金装置、及び支払いの順番が決まり、順番表示欄１２６〜１２８に課金装置の種別が順次表示される（ステップＳ５６）。これにより、コインラック１０１から課金できるときは（ステップＳ５７のＹ）、コインラック１０１の制御用のプログラムであるコインラックモジュールプログラムを起動し（ステップＳ５８）、FeliCaリーダ１０２から課金できるときは（ステップＳ５９のＹ）、FeliCaリーダ１０２の制御用のプログラムであるFeliCaリーダモジュールプログラムを起動し（ステップＳ６０）、Debitカードリーダ１０３から課金できるときは（ステップＳ５９のＮ）、Debitカードリーダ１０３の制御用のプログラムであるDebitカードリーダモジュールプログラムを起動する（ステップＳ６１）。
【００４３】
そして、優先順位の高い課金装置から課金を実行する（ステップＳ６２）。図９の例では最初にコインラック１０１から課金することになる。そして、ひとつの課金装置から課金して、その課金金額がサービスの利用金額（図８の例では４００円）の総額に達すれば（ステップＳ６３のＹ）、一連の処理を終了し、そうでなければ（ステップＳ６３のＮ）、次に優先順位の高い課金装置を優先順位の高いものとして選択し（ステップＳ６４）、その選択した課金装置から課金する（ステップＳ６２）。
【００４４】
このように、ステップＳ５５により、ユーザはどの課金装置から料金を支払うのかを選択することができ、また、その選択した課金装置の中での支払いの優先順位をユーザが設定することができる。これは、支払い可能な各課金装置の残金を確認して行なうことができるので、ユーザは残金の少ない課金装置からの支払いを優先するように設定することができる。
【００４５】
また、前述の例では、ユーザがどの課金装置から料金を支払うのかを選択するが、各課金装置の残金を検出するなどして（ステップＳ５２）、支払いが可能な課金装置を、課金を行なう課金装置としてＣＰＵ３１がデフォルトで設定するようにしてもよい。この場合に、例えばコインラック１０１のみが支払い可能な課金装置である場合など、単一の課金装置のみが支払い可能なものである場合であれば、その課金装置から課金すればよいが、複数台の課金装置が支払い可能な場合には、その支払いの有線順位を前述のようにユーザが選択するのではなく、あらかじめ複合機１の管理者側で設定できるようにしてもよい。すなわち、この例では、前述の図７の処理において、ステップＳ５５に代えて、あらかじめ複合機１の管理者側で設定している優先順位に各課金装置の優先順位を設定し、ステップＳ６３以下の処理を、この優先順位の高い順の課金装置から実行する。
【００４６】
なお、本発明で使用できる課金装置としては、前述の実施の形態に限定されるものではなく、所定のプリペイドカードから課金するためのプリペイドカードリーダや、クレジットカードで課金するためのＣＡＴ（Credit Authorization Terminal）など、さまざまな装置を用いることができる。
【図面の簡単な説明】
【００４７】
【図１】本発明の一実施の形態である複合機の外観斜視図である。
【図２】複合機の電気的な接続のブロック図である。
【図３】複合機の情報処理ユニット部が実行する処理のフローチャートである。
【図４】メインメニュー画面の平面図である。
【図５】Felicaリーダで実行する課金を処理のフローチャートである。
【図６】Debitカードリーダで実行する課金を処理のフローチャートである。
【図７】複合機の情報処理ユニット部が実行する処理の別の例を説明するフローチャートである。
【図８】残金表示画面の平面図である。
【図９】支払い順序選択画面の平面図である。
【符号の説明】
【００４８】
１  画像処理システム
１０１  課金装置（コインラック）
１０２  課金装置（Felicaリーダ）
１０３  課金装置（Debitカードリーダ）
Ａ  画像処理装置
【図１】
2006072451.tif 000003
【図２】
2006072451.tif 000004
【図３】
2006072451.tif 000005
【図４】
2006072451.tif 000006
【図５】
2006072451.tif 000007
【図６】
2006072451.tif 000008
【図７】
2006072451.tif 000009
【図８】
2006072451.tif 000010
【図９】
2006072451.tif 000011